(57)【要約】  記録媒体に記録されたオーディオ信号およびビデオ信号を再生するための最適な視聴環境に適する設定を容易にすることができる再生装置および再生システムを提供する。設置された場所を示す設置情報を取得し、ビデオ信号の出力設定を示すビデオ出力設定情報およびオーディオ信号の出力設定を示すオーディオ出力設定情報を記憶する記憶部（２１）と、取得された設置情報に対応するビデオ出力設定情報およびオーディオ出力設定情報を前記記憶部（２１）から読み出し、当該ビデオ出力設定情報に基づいてビデオ信号を出力する制御をし、当該オーディオ出力設定情報に基づいてオーディオ信号を出力する制御をする制御部（１９）を備える。
2007122872.tif 000002
【特許請求の範囲】
【請求項１】
記録媒体に記録されたオーディオ信号およびビデオ信号を再生する再生装置において、
外部機器から当該外部機器が設置された場所を示す設置情報を取得する取得部と、
ビデオ信号の出力設定を示すビデオ出力設定情報およびオーディオ信号の出力設定を示すオーディオ出力設定情報を記憶する記憶部と、
前記取得部により取得された設置情報に対応するビデオ出力設定情報およびオーディオ出力設定情報を前記記憶部から読み出し、当該ビデオ出力設定情報に基づいてビデオ信号を出力する制御をし、当該オーディオ出力設定情報に基づいてオーディオ信号を出力する制御をする制御部とを備えること特徴とする再生装置。
【請求項２】
請求の範囲第１項に記載の再生装置において、
さらに、当該再生装置に接続された表示装置に当該再生装置を設置した場所を選択させる表示をするための表示信号を生成する生成部と、
前記生成部により生成された表示信号に基づいて表示装置に表示された選択画面から当該再生装置を設置した場所を選択する操作を受け付ける選択手段を備え、
前記制御部は、前記選択手段により選択された当該再生装置を設置した場所に応じたビデオ出力設定情報およびオーディオ出力設定情報を前記記憶部から読み出し、当該ビデオ出力設定情報に基づいてビデオ信号の出力手段を設定する制御をし、当該オーディオ出力設定情報に基づいてオーディオ信号の出力手段を設定する制御をすること特徴とする再生装置。
【請求項３】
請求の範囲第１項に記載の再生装置において、
さらに、当該再生装置に接続された表示装置の種類を選択させる表示をするための表示信号を生成する生成部と、
前記生成部により生成された表示信号に基づいて表示装置に表示された選択画面から当該表示装置の種類を選択する操作を受け付ける選択手段を備え、
前記制御部は、前記選択手段により選択された表示装置の種類に応じたビデオ出力設定情報およびオーディオ出力設定情報を前記記憶部から読み出し、当該ビデオ出力設定情報に基づいてビデオ信号の出力手段を設定する制御をし、当該オーディオ出力設定情報に基づいてオーディオ信号の出力手段を設定する制御をすること特徴とする再生装置。
【請求項４】
請求の範囲第１項に記載の再生装置において、
前記取得部は、前記外部機器と接続すると当該外部機器から設置情報を取得することを特徴とする再生装置。
【請求項５】
外部機器と当該外部機器と接続する再生装置からなる再生システムにおいて、
前記外部機器は、当該外部機器が設置される場所を指定する指定部を備え、
前記再生装置は、前記指定部により指定された前記外部機器の設置場所を示す設置情報を前記外部機器から取得する取得部と、前記外部機器が設置された場所に応じたビデオ信号の出力設定を示すビデオ出力設定情報およびオーディオ信号の出力設定を示すオーディオ出力設定情報を記憶する記憶部と、前記取得部により取得された設置情報に対応するビデオ出力設定情報およびオーディオ出力設定情報を前記記憶部から読み出し、当該ビデオ出力設定情報に基づいてビデオ信号を出力する制御をし、当該オーディオ出力設定情報に基づいてオーディオ信号を出力する制御をする制御部とを備えること特徴とする再生システム。
【請求項６】
請求の範囲第５項に記載の再生システムにおいて、
前記再生装置が備える前記取得部は、前記外部機器と接続すると当該外部機器から設置情報を取得することを特徴とする再生システム。
【発明の詳細な説明】
【技術分野】
【０００１】
本発明は、記録媒体に記録されたオーディオ信号とビデオ信号を再生する再生装置および再生システムに関する。
【背景技術】
【０００２】
ＤＶＤ（Digital Versatile Disc）に記録されたオーディオ信号およびビデオ信号を視聴する場合、ユーザは、ＤＶＤプレーヤが設置された環境に応じてＤＶＤから再生したオーディオ信号の出力手段およびビデオ信号の出力手段を予め設定しておく必要がある。ユーザは、オーディオ信号の出力手段を設定するとき、例えば、ＤＶＤプレーヤに接続されたスピーカが左チャンネルおよび右チャンネルのスピーカシステムである場合、オーディオ信号の出力チャンネルを２チャンネルに設定する。または、ＤＶＤプレーヤに接続されたスピーカが５．１チャンネルのスピーカシステムである場合、オーディオ信号の出力チャンネルを５．１チャンネルに設定する。【０００３】
また、ユーザは、ＤＶＤプレーヤと接続した液晶ディスプレイ等の表示装置に備えられた入力端子の種類に応じて、ビデオ信号の出力手段を設定する。例えば、ＤＶＤプレーヤのビデオ出力端子を表示装置に備えられたビデオ入力端子に接続する場合は、ＤＶＤプレーヤのビデオ出力手段としてインターレース出力手段を設定する。また、ＤＶＤプレーヤのビデオ出力端子を表示装置に備えられたコンポーネント入力端子に接続する場合は、ＤＶＤプレーヤのビデオ出力手段としてプログレッシブ出力手段を設定する。ＤＶＤプレーヤのビデオ出力端子を表示装置に備えられたデジタル入力端子に接続する場合は、ＤＶＤプレーヤのビデオ出力手段としてデジタル出力手段を設定する。【０００４】
従来のＤＶＤプレーヤでは、インターレース方式のビデオ信号およびプログレッシブ方式のビデオ信号をインターレース出力手段とプログレッシブ出力手段から同時に出力することができる。しかしながら、プログレッシブ出力手段とデジタル出力手段から同時にビデオ信号を出力するためには、デジタル出力手段から出力されるデジタルビデオ信号の解像度がプログレッシブ出力手段から出力されるプログレッシブ方式のビデオ信号の解像度より高いので、各出力手段に独立した信号処理回路を備える必要があり、製造コストが高くなる。このため、ユーザは、ビデオ信号を出力する手段として、プログレッシブ出力手段またはデジタル出力手段の一方を選択する必要がある。【０００５】
また、プログレッシブ出力手段では、インターレース方式のビデオ信号をプログレッシブ方式のビデオ信号に変換する信号処理に時間を要するため、ＤＶＤプレーヤから出力されるプログレッシブ方式のビデオ信号と当該ビデオ信号に同期したオーディオ信号との間にずれが生じる。このため、従来のＤＶＤプレーヤには、ユーザによりオーディオ信号の出力タイミングをインターレース方式のビデオ信号の出力タイミングやプログレッシブ方式のビデオ信号の出力タイミングまたはデジタルビデオ信号の出力タイミングに合わせる設定をすることができる手段を有するものがある。【０００６】
このように、従来のＤＶＤプレーヤには、オーディオ信号やビデオ信号を再生するための多数の設定項目を階層化して表示装置に表示することができるものがある（例えば、特許文献１）。【０００７】
特許文献１に開示されているように、設定項目を階層化して表示装置に表示することにより、ユーザは、設定項目の確認や変更の操作をすることができる。しかしながら、ＤＶＤプレーヤには多数の設定項目があるため、ＤＶＤプレーヤを使い始めたばかりの初心者のユーザにとっては、各々の設定項目をどのように設定すればよいか分かりづらい。また、家庭内において、ＤＶＤプレーヤを設置する部屋に応じて最適な視聴環境にするために、ユーザは、設定してある設定項目を設置した場所に応じて変更する必要がある。【０００８】
本発明は、上記の課題を解決するためになされたものであり、最適な視聴環境に適する設定を容易にすることができる再生装置および再生システムを提供するものである。
【特許文献１】特開２００４−１６５７２５号公報
【発明の開示】
【０００９】
上記目的を達成するため、本発明の第１の態様における再生装置は、記録媒体に記録されたオーディオ信号およびビデオ信号を再生する再生装置において、外部機器から当該外部機器が設置された場所を示す設置情報を取得する取得部と、ビデオ信号の出力設定を示すビデオ出力設定情報およびオーディオ信号の出力設定を示すオーディオ出力設定情報を記憶する記憶部と、前記取得部により取得された設置情報に対応するビデオ出力設定情報およびオーディオ出力設定情報を前記記憶部から読み出し、当該ビデオ出力設定情報に基づいてビデオ信号を出力する制御をし、当該オーディオ出力設定情報に基づいてオーディオ信号を出力する制御をする制御部とを備えること特徴とする。これによって、外部機器が設置された場所を示す設置情報に基づく、再生装置の最適な視聴環境に適する設定を容易にすることができる。
【００１０】
また、上記の再生装置において、さらに、当該再生装置に接続された表示装置に当該再生装置を設置した場所を選択させる表示をするための表示信号を生成する生成部と、前記生成部により生成された表示信号に基づいて表示装置に表示された選択画面から当該再生装置を設置した場所を選択する操作を受け付ける選択手段を備え、前記制御部は、前記選択手段により選択された当該再生装置を設置した場所に応じたビデオ出力設定情報およびオーディオ出力設定情報を前記記憶部から読み出し、当該ビデオ出力設定情報に基づいてビデオ信号の出力手段を設定する制御をし、当該オーディオ出力設定情報に基づいてオーディオ信号の出力手段を設定する制御をすること特徴とする。これによって、さらに、再生装置を設置した場所の選択を容易とし、再生装置の最適な視聴環境に適する設定を容易にすることができる。
【００１１】
また、上記の再生装置において、さらに、当該再生装置に接続された表示装置の種類を選択させる表示をするための表示信号を生成する生成部と、前記生成部により生成された表示信号に基づいて表示装置に表示された選択画面から当該表示装置の種類を選択する操作を受け付ける選択手段を備え、前記制御部は、前記選択手段により選択された表示装置の種類に応じたビデオ出力設定情報およびオーディオ出力設定情報を前記記憶部から読み出し、当該ビデオ出力設定情報に基づいてビデオ信号の出力手段を設定する制御をし、当該オーディオ出力設定情報に基づいてオーディオ信号の出力手段を設定する制御をすること特徴とする。これによって、さらに、再生装置に接続された表示装置の種類の選択を容易とし、再生装置の最適な視聴環境に適する設定を容易にすることができる。
【００１２】
また、上記の再生装置において、前記取得部は、前記外部機器と接続すると当該外部機器から設置情報を取得することを特徴とする。これによって、さらに、外部機器からの設置情報の取得を容易とし、再生装置の最適な視聴環境に適する設定を容易にすることができる。
【００１３】
上記目的を達成するため、本発明の第２の態様における再生システムは、外部機器と当該外部機器と接続する再生装置からなる再生システムにおいて、前記外部機器は、当該外部機器が設置される場所を指定する指定部を備え、前記再生装置は、前記指定部により指定された前記外部機器の設置場所を示す設置情報を前記外部機器から取得する取得部と、前記外部機器が設置された場所に応じたビデオ信号の出力設定を示すビデオ出力設定情報およびオーディオ信号の出力設定を示すオーディオ出力設定情報を記憶する記憶部と、前記取得部により取得された設置情報に対応するビデオ出力設定情報およびオーディオ出力設定情報を前記記憶部から読み出し、当該ビデオ出力設定情報に基づいてビデオ信号を出力する制御をし、当該オーディオ出力設定情報に基づいてオーディオ信号を出力する制御をする制御部とを備える。これによって、外部機器が設置される場所を指定し、それに応じた、再生システムの最適な視聴環境に適する設定を容易にすることができる。
【００１４】
上記の再生システムにおいて、前記再生装置が備える前記取得部は、前記外部機器と接続すると当該外部機器から設置情報を取得する。これによって、さらに、外部機器からの設置情報の取得を容易とし、再生装置の最適な視聴環境に適する設定を容易にすることができる。
【図面の簡単な説明】
【００１５】
【図１】図１は、第１実施例の再生装置の構成を示すブロック図である。
【図２】図２は、表示装置に表示された第１実施例の再生装置を設置した場所を選択する選択画面を表した図である。
【図３】図３は、第１実施例の記憶部に記憶されたビデオ信号およびオーディオ信号の出力設定情報等の設定情報を示す図である。
【図４】図４は、第２実施例の再生装置の構成を示すブロック図である。
【図５】図５は、本発明における実施例の再生システムの構成を説明する図である。
【図６】図６は、第２実施例の記憶部に記憶された外部機器の設置場所に応じたビデオ信号およびオーディオ信号の出力設定情報等の設定情報を示す図である。
【図７】図７は、第２実施例の再生装置および外部機器からなる再生システムを各部屋に設置したときのビデオ信号およびオーディオ信号の出力設定を説明する図である。
【発明を実施するための最良の形態】
【００１６】
以下、本発明の実施の形態について図面を参照して説明する。【００１７】
図１は、本発明の一実施の形態としての第１実施例である再生装置の構成を示すブロック図である。図１に示す第１実施例の再生装置は、ターンテーブル１、スピンドルモータ２、サーボ制御部３、光ピックアップ４、再生アンプ５、信号分離部６、オーディオ信号処理部７、デジタル出力部８、マルチチャンネル（ｃｈ）出力部９、２チャンネル（ｃｈ）出力部１０、オーディオ切替部１１、ビデオ信号処理部１２、生成部１３、変換部１４、インターレース出力部１５、デジタル出力部１６、プログレッシブ出力部１７、ビデオ切替部１８、制御部１９、選択部２０、記憶部２１、デジタル出力端子２２、アナログ出力端子２３、デジタル出力端子２４、コンポーネント出力端子２５、コンポジット出力端子２６を備える。上記各構成部の接続関係は図１に矢印付き線で示している。本実施例の再生装置は、例えばＤＶＤプレーヤである。【００１８】
スピンドルモータ２に固定されたターンテーブル１は、ＤＶＤ等の記録媒体を装着する。図示しない操作部から再生開始の指示が入力されると、サーボ制御部３は、スピンドルモータ２を所定の線速度で回転駆動させる制御をする。また、サーボ制御部３は、光ピックアップ４からのレーザ光がＤＶＤのピット列に正しく追随し、ピット上に合焦するように、図示しないトラッキングサーボ回路とフォーカスサーボ回路を制御する。【００１９】
光ピックアップ４が読み取った信号は、再生アンプ５により波形整形および増幅され信号分離部６に入力される。信号分離部６は、再生アンプ５から入力された信号をデジタルオーディオ信号とデジタルビデオ信号に分離する。【００２０】
オーディオ信号処理部７は、信号分離部６により分離されたデジタルオーディオ信号をデコードする。また、オーディオ信号処理部７は、デコードしたデジタルオーディオ信号を各チャンネルのデジタルオーディオ信号に分離する。オーディオ信号処理部７によりデコードされたデジタルオーディオ信号は、デジタル出力部８に入力される。各チャンネルに分離されたデジタルオーディオ信号は、マルチチャンネル出力部９および２チャンネル出力部１０に入力される。【００２１】
デジタル出力部８は、デジタルインターフェースであり、オーディオ信号処理部７から入力したデジタルオーディオ信号をデジタル出力端子２２に出力する。デジタル出力端子２２から出力されるデジタルオーディオ信号は、ＡＶ（Audio Visual）アンプや表示装置のデジタル入力端子に入力される。マルチチャンネル出力部９は、オーディオ信号処理部７から入力したマルチチャンネル（例えば５．１チャンネル）のデジタルオーディオ信号をアナログ信号に変換し、変換したマルチチャンネルのアナログオーディオ信号をオーディオ切替部１１に入力する。【００２２】
２チャンネル出力部１０は、オーディオ信号処理部７から入力したマルチチャンネルのデジタルオーディオ信号を２チャンネルのデジタルオーディオ信号にダウンミックスするとともに、２チャンネルのデジタルオーディオ信号をアナログ信号に変換し、変換した２チャンネルのアナログオーディオ信号をオーディオ切替部１１に入力する。【００２３】
オーディオ切替部１１は、制御部１９の制御により、アナログ出力端子２３から出力する信号として、マルチチャンネルまたは２チャンネルのアナログオーディオ信号のいずれか一方に切替える。アナログ出力端子２３から出力されるアナログオーディオ信号は、ＡＶアンプや表示装置のアナログ入力端子に入力される。【００２４】
ビデオ信号処理部１２は、ＭＰＥＧ（Moving Picture Experts Group）方式などの伸長プロトコルにより信号分離部６から入力されたデジタルビデオ信号をデコードする。ビデオ信号処理部１２によりデコードされたデジタルビデオ信号は、変換部１４およびインターレース出力部１５に入力される。ビデオ信号処理部１２によりデコードされたデジタルビデオ信号は、インターレース方式のビデオ信号となる。【００２５】
生成部１３は、装置の動作状態やユーザに第１実施例の再生装置を設置した場所を選択させる操作指示を示す文字や図形等を第１実施例の再生装置に接続された表示装置に表示するオンスクリーン表示信号を生成する。生成されたオンスクリーン表示信号は、ビデオ信号処理部１２から出力されたデジタルビデオ信号とともに変換部１４およびインターレース出力部１５に入力される。【００２６】
変換部１４は、ビデオ信号処理部１２から入力したインターレース方式のデジタルビデオ信号をプログレッシブ方式のデジタルビデオ信号に変換する。変換されたプログレッシブ方式のデジタルビデオ信号は、デジタル出力部１６およびプログレッシブ出力部１７に入力される。インターレース出力部１５は、ビデオ信号処理部１２から入力したインターレース方式のデジタルビデオ信号をアナログ信号に変換する。変換されたインターレース方式のアナログビデオ信号は、ビデオ切替部１８およびコンポジット出力端子２６に入力される。コンポジット出力端子２６は、インターレース出力部１５から出力されたインターレース方式のアナログビデオ信号をコンポジットビデオ信号として表示装置に出力する。【００２７】
デジタル出力部１６は、例えばＨＤＭＩ（High Definition Multimedia Interface）インターフェースであり、変換部１４から入力したプログレッシブ方式のデジタルビデオ信号をデジタル出力端子２４に出力する。デジタル出力端子２４は、例えばＨＤＭＩ出力端子であり、デジタル出力部１６から出力されたプログレッシブ方式のデジタルビデオ信号を表示装置に出力する。プログレッシブ出力部１７は、変換部１４から入力したプログレッシブ方式のデジタルビデオ信号をアナログ信号に変換する。変換されたプログレッシブ方式のアナログビデオ信号は、ビデオ切替部１８に入力される。【００２８】
ビデオ切替部１８は、制御部１９の制御により、コンポーネント出力端子２５から出力するアナログビデオ信号をインターレース方式またはプログレッシブ方式に切替える。コンポーネント出力端子２５は、輝度信号と色差信号を出力する出力端子を備え、ビデオ切替部１８から出力されたアナログビデオ信号をコンポーネントビデオ信号として表示装置のコンポーネント入力端子に出力する。【００２９】
制御部１９は、第１実施例の再生装置を統括的に制御する。選択部２０は、生成部１３が生成したオンスクリーン表示信号に基づいて表示装置に表示された第１実施例の再生装置を設置した場所を選択する選択画面から、当該再生装置を設置した場所を選択する操作を受け付ける操作ボタンを備える。選択部２０は、図示しない操作部に設けられている。この操作部には、前述した選択画面を表示装置に表示する表示ボタン、再生開始ボタン、停止ボタン等の操作ボタンを備える。記憶部２１は、第１実施例の再生装置を設置した場所に応じたビデオ信号の出力手段を設定するビデオ出力設定情報およびオーディオ信号の出力手段を設定するオーディオ出力設定情報を記憶している。【００３０】
次に、第１実施例の再生装置を設置した場所に応じたビデオ信号およびオーディオ信号の出力手段の設定について説明する。図２は、表示装置に表示された第１実施例の再生装置を設置した場所を選択する選択画面を表した図である。【００３１】
生成部１３は、図示しない操作部から選択画面を表示する操作を受け付けると、図２に示すような選択画面３１を表示するためのオンスクリーン表示信号を生成する。本実施例では、リビングルーム、ホームシアタールームおよびオーディオルームの中から、第１実施例の再生装置を設置した場所を選択する。ユーザは、選択部２０によりカーソル３２を移動させる操作をして第１実施例の再生装置を設定した場所を選択する。【００３２】
一般的に、リビングルームには、比較的大きな画面を有するプログレッシブ方式のテレビが設置される場合が多い。そして、ＤＶＤプレーヤ等の第１実施例の再生装置と当該テレビは、ＤＶＤプレーヤにより再生されたビデオ信号を当該テレビから出力するように接続されている。また、ＤＶＤプレーヤにより再生されたオーディオ信号を当該テレビに内蔵された左右のスピーカから出力するように接続されている。【００３３】
そこで、本実施例では、第１実施例の再生装置を設置した場所としてリビングルームを選択した場合、当該再生装置のビデオ信号の出力手段をプログレッシブ方式の出力手段にする設定をし、アスペクト比を「１６：９」に設定する。そして、当該再生装置のオーディオ信号の出力手段を２チャンネルの出力手段にする設定をする。また、オーディオ信号の出力タイミングをプログレッシブ方式のビデオ信号の出力タイミングに合わせる設定をする。【００３４】
ホームシアターは、近年普及しホームシアタールームを家庭内に持つユーザも増加している。ホームシアタールームには、一般的に、ＤＶＤプレーヤ等の第１実施例の再生装置、プロジェクター、スクリーン、ＡＶアンプおよびマルチチャンネルのスピーカシステムが設置されている。そして、ＤＶＤプレーヤはプロジェクターと直接あるいはＡＶアンプを介して接続され、再生したビデオ信号をプロジェクターに出力する。プロジェクターは、入力されたビデオ信号をスクリーンに投影する。また、ＤＶＤプレーヤはＡＶアンプと接続され、再生したオーディオ信号をＡＶアンプに出力する。ＡＶアンプは、入力されたオーディオ信号をチャンネル毎にマルチチャンネルのスピーカシステムに出力する。【００３５】
そこで、本実施例では、第１実施例の再生装置を設置した場所としてホームシアタールームを選択した場合、当該再生装置のビデオ信号の出力手段をデジタル出力手段にする設定をし、アスペクト比を「１６：９」に設定する。これは、ＤＶＤプレーヤおよびプロジェクターには、ＨＤＭＩインターフェースを搭載したものが普及しているからである。そして、当該再生装置のオーディオ信号の出力手段をマルチチャンネル出力手段にする設定をする。【００３６】
高品質のオーディオを楽しむためのオーディオルームには、ＤＶＤプレーヤ等の第１実施例の再生装置、テレビ等の表示装置、プリメインアンプ、２チャンネルのスピーカシステムが設置されている。そして、ＤＶＤプレーヤはプリメインアンプと接続され、再生したオーディオ信号をプリメインアンプに出力する。プリメインアンプは、入力されたオーディオ信号を２チャンネルのスピーカシステムに出力する。また、ＤＶＤプレーヤはテレビ等の表示装置と接続され、オンスクリーン表示信号を表示装置に出力する。【００３７】
そこで、本実施例では、第１実施例の再生装置を設置した場所としてオーディオルームを選択した場合、当該再生装置のオーディオ信号の出力手段を２チャンネル出力手段にする設定をする。そして、表示装置にはビデオ信号が入力されず、装置の動作状態や操作指示を示す文字や図形等のオンスクリーン表示信号が入力されるので、当該再生装置のビデオ信号の出力手段をインターレース方式の出力手段にする設定をし、アスペクト比を「４：３」に設定する。また、アナログとデジタルのオーディオ信号が同時に出力されると、アナログオーディオ信号は、デジタルオーディオ信号に干渉されノイズが重畳される可能性があるため、当該再生装置のデジタル出力手段を停止する設定をする。【００３８】
以上のように、第１実施例の再生装置を設置した場所に応じたビデオ信号およびオーディオ信号の出力手段の設定情報は、図３に示すように記憶部２１に記憶されている。図３には、記憶部２１に記憶された第１実施例の再生装置を設置した場所に応じたビデオ信号およびオーディオ信号の出力手段の設定情報を示す。制御部１９は、選択部２０により選択された設置場所に対応するビデオ出力設定情報およびオーディオ出力設定情報を読み出す。【００３９】
例えば、制御部１９は、選択部２０によりリビングルームが選択されると、図３に示すように、記憶部２１からビデオ出力手段として「プログレッシブ方式」やアスペクト比として「１６：９」のビデオ出力設定情報を読み出し、オーディオ出力手段として「２チャンネル」のオーディオ出力設定情報を読み出す。制御部１９は、読み出したビデオ出力設定情報およびオーディオ出力設定情報にしたがって、オーディオ信号処理部７、ビデオ信号処理部１２、オーディオ切替部１１、ビデオ切替部１８を制御する。【００４０】
また、第１実施例の再生装置は、接続した表示装置の種類に応じて、ビデオ信号およびオーディオ信号の出力手段の設定をできるようにしてもよい。表示装置としては、プログレッシブ方式のテレビ、プロジェクターおよびインターレース方式のテレビ等の種類がある。【００４１】
プログレッシブ方式のテレビは、上述したリビングルームに設置する場合が多い。このため、ユーザは、選択部２０からカーソル３２を移動させる操作をして第１実施例の再生装置に接続した表示装置としてプログレッシブ方式のテレビを選択すると、ビデオ信号の出力手段をプログレッシブ方式の出力手段にする設定をし、アスペクト比を「１６：９」に設定する。そして、オーディオ信号の出力手段を２チャンネルの出力手段にする設定をする。また、オーディオ信号の出力タイミングをプログレッシブ方式のビデオ信号の出力タイミングに合わせる設定をする。【００４２】
プロジェクターは上述したホームシアタールームに設置する場合が多いため、ユーザが第１実施例の再生装置に接続した表示装置としてプロジェクターを選択すると、ビデオ信号の出力手段をデジタル出力手段にする設定をし、アスペクト比を「１６：９」に設定する。そして、オーディオ信号の出力手段をマルチチャンネル出力手段にする設定をする。【００４３】
インターレース方式のテレビは上述したオーディオルームに設置する場合が多いため、ユーザが第１実施例の再生装置に接続した表示装置としてインターレース方式のテレビを選択すると、オーディオ信号の出力手段を２チャンネル出力手段にする設定をし、ビデオ信号の出力手段をインターレース方式の出力手段にする設定をする。そして、アスペクト比を「４：３」に設定し、デジタル出力手段を停止する設定をする。【００４４】
また、第１実施例の再生装置は、接続した増幅装置の種類に応じて、ビデオ信号およびオーディオ信号の出力手段の設定をできるようにしてもよい。増幅装置の種類としては、増幅装置を内蔵した表示装置、ＡＶアンプおよびプリメインアンプ等がある。【００４５】
上述したように、第１実施例の再生装置は、接続した表示装置の種類に応じたビデオ信号およびオーディオ信号の出力手段の設定情報は、記憶部２１に記憶されている。制御部１９は、選択部２０により選択された表示装置の種類のビデオ出力設定情報およびオーディオ出力設定情報を記憶部２１から読み出し、読み出したビデオ出力設定情報およびオーディオ出力設定情報にしたがって、オーディオ信号処理部７、ビデオ信号処理部１２、オーディオ切替部１１、ビデオ切替部１８を制御する。このため、第１実施例の再生装置は、ユーザにとって、設定項目を直感的にわかりやすくし、かつ、設定項目数を少なくして、再生装置を設置した環境に応じた設定にすることができる。【００４６】
次に、本発明の一実施の形態としての第２実施例の再生装置について説明する。【００４７】
図４は、本発明の第２実施例である再生装置の構成を示すブロック図である。図４に示す本実施例の再生装置は、ターンテーブル１、スピンドルモータ２、サーボ制御部３、光ピックアップ４、再生アンプ５、信号分離部６、オーディオ信号処理部７、デジタル出力部８、マルチチャンネル（ｃｈ）出力部９、２チャンネル（ｃｈ）出力部１０、オーディオ切替部１１、ビデオ信号処理部１２、変換部１４、インターレース出力部１５、デジタル出力部１６、プログレッシブ出力部１７、ビデオ切替部１８、制御部１９、記憶部２１、デジタル出力端子２２、アナログ出力端子２３、デジタル出力端子２４、コンポーネント出力端子２５、コンポジット出力端子２６、取得部２７を備える。上記各構成部の接続関係は、図１と同様に、図４に矢印付き線で示している。本実施例の再生装置は、例えばＤＶＤプレーヤである。図４において、図１に示す第１の実施例の再生装置と同一の構成要素には同一の符号を付して説明を省略する。【００４８】
図４に示す取得部２７は、図示しない外部機器から当該外部機器が設置された場所を示す設置情報を取得する。本実施例において、取得部２７は、外部機器から設置情報を取得するために、ＵＴＰ(Unshielded Twist Pair cable)やＳＴＰ(Shielded Twist Pair cable)等の通信ケーブルにより外部機器と接続する。【００４９】
図５は、本発明における実施例の再生システムの構成を説明する図である。図５に示す本実施例の再生システムは、第２実施例の再生装置１００と外部機器２００から構成されている。そして、再生装置１００と外部機器２００は、通信ケーブル３００により接続されている。本実施例において、外部機器２００は、例えばネットワーク４００に接続可能なＡＶアンプ、セットトップボックスやハブ等である。【００５０】
外部機器２００は、設置された場所を指定する指定部（図示せず）を備える。ユーザは、外部機器２００が設置された場所として、リビングルーム、ホームシアタールーム、子供部屋などの家庭内の部屋のタイプを外部機器２００に備えられた指定部により指定する。外部機器２００は、指定された場所を示す設置情報を設定する。外部機器２００により設定された設置情報に応じたビデオ信号およびオーディオ信号の出力手段の設定情報は、図６に示すように記憶部２１に記憶されている。図６は、記憶部２１に記憶された外部機器２００の設置場所に応じたビデオ信号およびオーディオ信号の出力設定情報等の設定情報を示す。【００５１】
図６を参照しつつ説明すると、例えば、外部機器２００は、指定部によりリビングルームが指定されると「０１」の設置情報を設定し、ホームシアタールームが指定されると「０２」の設置情報を設定し、子供部屋が指定されると「０３」の設置情報を設定する。ネットワーク４００は、家庭内に構築されたホームネットワークである。【００５２】
ここで、外部機器２００の設置場所がリビングルームである場合、一般的にリビングルームには、比較的大きな画面を有するプログレッシブ方式のテレビが設置されていることが多い。そして、ＤＶＤプレーヤ等の再生装置と当該テレビは、ＤＶＤプレーヤにより再生されたビデオ信号を当該テレビから出力するように接続されている。また、ＤＶＤプレーヤにより再生されたオーディオ信号を当該テレビに内蔵された左右のスピーカから出力するように接続されている。【００５３】
そこで、本実施例では、外部機器２００がリビングルームに設置される場合、再生装置１００のビデオ信号の出力手段をプログレッシブ方式の出力手段にする設定をし、アスペクト比を「１６：９」に設定する。そして、再生装置１００のオーディオ信号の出力手段を２チャンネルの出力手段にする設定をする。また、オーディオ信号の出力タイミングをプログレッシブ方式のビデオ信号の出力タイミングに合わせる設定やビデオ信号のデジタル出力をオフにする設定をする。【００５４】
次に、外部機器２００の設置場所がホームシアタールームである場合、一般的にホームシアタールームには、ＤＶＤプレーヤ等の再生装置、プロジェクター、スクリーン、ＡＶアンプおよびマルチチャンネルのスピーカシステムが設置されている。そして、ＤＶＤプレーヤはプロジェクターと直接あるいはＡＶアンプを介して接続され、再生したビデオ信号をプロジェクターに出力する。プロジェクターは、入力されたビデオ信号をスクリーンに投影する。また、ＤＶＤプレーヤはＡＶアンプと接続され、再生したオーディオ信号をＡＶアンプに出力する。ＡＶアンプは、入力されたオーディオ信号をチャンネル毎にマルチチャンネルのスピーカシステムに出力する。【００５５】
そこで、本実施例では、外部機器２００がホームシアタールームに設置される場合、再生装置１００のビデオ信号の出力手段をデジタル出力手段にする設定をし、アスペクト比を「１６：９」に設定する。これは、ＤＶＤプレーヤ等の再生装置１００およびプロジェクターには、ＨＤＭＩインターフェースを搭載したものが普及しているからである。そして、再生装置１００のオーディオ信号の出力手段をマルチチャンネル出力手段にする設定をする。【００５６】
また、外部機器２００の設置場所が子供部屋である場合、一般的に子供部屋には、比較的小さな画面を有するテレビが設置されていることが多い。そして、ＤＶＤプレーヤ等の再生装置と当該テレビは、ＤＶＤプレーヤにより再生されたビデオ信号を当該テレビから出力するように接続されている。また、ＤＶＤプレーヤにより再生されたオーディオ信号を当該テレビに内蔵された左右のスピーカから出力するように接続されている。【００５７】
そこで、本実施例では、外部機器２００が子供部屋に設置される場合、再生装置１００のビデオ信号の出力手段をインターレース方式の出力手段にする設定をし、アスペクト比を「４：３」に設定する。そして、再生装置１００のオーディオ信号の出力手段を２チャンネルの出力手段にする設定をする。また、ペアレンタルレベル（視聴制限）を例えばＰＧ‐１３に設定する。【００５８】
図７は、第２実施例の再生装置および外部機器からなる再生システムを各部屋に設置したときのビデオ信号およびオーディオ信号の出力設定を説明する図である。図７に示すように、リビングルームには、第２実施例の再生装置１０１およびネットワーク４００に接続可能な外部機器２０１から構成される再生システムが設置されている。ユーザは、外部機器２０１に備えられた指定部により、外部機器２０１の設置場所としてリビングルームを指定する。外部機器２０１は、リビングルームが指定されると設置情報として「０１」を設定する。【００５９】
再生装置１０１は、ＵＴＰやＳＴＰ等の通信ケーブルにより外部機器２０１と接続されると、外部機器２０１から設置情報「０１」を取得する。取得された設置情報「０１」は制御部１９に入力される。制御部１９は、図６に示すように入力された設置情報「０１」に応じた「プログレッシブ方式」、「１６：９」、「２チャンネル」等の設定情報を記憶部２１から読み出す。制御部１９は、記憶部２１から読み出したビデオ出力設定情報およびオーディオ出力設定情報等にしたがって、オーディオ信号処理部７、オーディオ切替部１１、ビデオ信号処理部１２、ビデオ切替部１８を制御する。【００６０】
図７に示すように、ホームシアタールームには、第２実施例の再生装置１０２およびネットワーク４００に接続可能な外部機器２０２から構成される再生システムが設置されている。ユーザは、外部機器２０２に備えられた指定部により、外部機器２０２の設置場所としてホームシアタールームを指定する。外部機器２０２は、ホームシアタールームが指定されると設置情報として「０２」を設定する。【００６１】
再生装置１０２は、ＵＴＰやＳＴＰ等の通信ケーブルにより外部機器２０２と接続されると、外部機器２０２から設置情報「０２」を取得する。取得された設置情報「０２」は制御部１９に入力される。制御部１９は、図６に示すように入力された設置情報「０２」に応じた「デジタル出力」、「１６：９」、「マルチチャンネル」等の設定情報を記憶部２１から読み出す。制御部１９は、記憶部２１から読み出したビデオ出力設定情報およびオーディオ出力設定情報等にしたがって、オーディオ信号処理部７、オーディオ切替部１１、ビデオ信号処理部１２、ビデオ切替部１８を制御する。【００６２】
図７に示すように、子供部屋には、第２実施例の再生装置１０３およびネットワーク４００に接続可能な外部機器２０３から構成される再生システムが設置されている。【００６３】
ユーザは、外部機器２０３に備えられた指定部により、外部機器２０３の設置場所として子供部屋を指定する。外部機器２０３は、リビングルームが指定されると設置情報として「０３」を設定する。【００６４】
再生装置１０３は、ＵＴＰやＳＴＰ等の通信ケーブルにより外部機器２０３と接続されると、外部機器２０３から設置情報「０３」を取得する。取得された設置情報「０３」は制御部１９に入力される。制御部１９は、図６に示すように入力された設置情報「０３」に応じた「インターレース方式」、「４：３」、「２チャンネル」等の設定情報を記憶部２１から読み出す。制御部１９は、記憶部２１から読み出したビデオ出力設定情報およびオーディオ出力設定情報等にしたがって、オーディオ信号処理部７、オーディオ切替部１１、ビデオ信号処理部１２、ビデオ切替部１８を制御する。【００６５】
図７において、外部機器２０１を親機とする場合、外部機器２０２および外部機器２０３は中継機となる。親機として考えられる外部機器には、ＡＶアンプやセットトップボックスがあり、ＡＶアンプを親機として用いるときは、ＡＶアンプまたはハブを中継機として用いる。また、セットトップボックスを親機として用いるときは、ＡＶアンプを中継機として用いる。【００６６】
図７に示すようにネットワーク４００に接続されている外部機器２０１、外部機器２０２および外部機器２０３は、互いにネットワーク４００を介してデータのやり取りをすることができる。例えば、外部機器２０１が親機となるＡＶアンプであり、外部機器２０２が中継機となるＡＶアンプであるとき、親機の外部機器２０１は、中継機の外部機器２０２から設置情報「０２」を取得することができる。【００６７】
再生装置１０１は、外部機器２０１から外部機器２０２の設置情報「０２」を取得し、取得した設置情報「０２」に応じたビデオ出力設定情報およびオーディオ出力設定情報を記憶部２１から読み出す。そして、読み出されたビデオ出力設定情報およびオーディオ出力設定情報にしたがって、ホームシアタールームの視聴環境に最適なオーディオ信号やビデオ信号を出力する設定になる。【００６８】
再生装置１０１から出力されるオーディオ信号およびビデオ信号は、外部機器２０１によりネットワーク４００を介して外部機器２０２に送信され、外部機器２０２に接続されたスピーカおよびプロジェクターにより再生される。このように、本実施例の再生装置は、異なる場所に設置された外部機器からネットワーク４００を介して取得した設置情報に応じて、この外部機器が設置された視聴環境に最適なオーディオ信号およびビデオ信号を出力する設定にすることができる。【００６９】
上述したように、第２実施例の再生装置は、接続する外部機器から設置情報を取得することにより、取得する設置情報に応じて最適な視聴環境にする設定を容易にすることができる。したがって、本実施例の再生装置は、外部機器に接続するだけで、最適な視聴環境になるように設定できる。また、本実施例の再生装置は、設置する部屋が変更しても、その変更した部屋にある外部機器と接続することにより、最適な視聴環境になる設定ができる。このため、ユーザは、従来の再生装置のように多数の設定項目を設定する必要がない。また、上述したように、本実施例の再生システムは、外部機器に設置された部屋を指定し、再生装置が外部機器から設置情報を取得することにより、取得する設置情報に応じて再生装置を最適な視聴環境にする設定を容易にすることができる。【００７０】
上記で詳細に説明したものは本発明の例に過ぎず、本発明の新規な開示および利点から大きく逸脱することなしに、当該例示的な実施形態において多くの修正が可能であることは当業者には容易に理解されるであろう。従って、かかる修正のすべてが本発明の範囲内に含まれると意図される。【００７１】
日本特許出願第２００６−１０１４０６号（２００６年４月３日出願）および日本特許出願第２００６−２４８３９５号（２００６年９月１３日出願）は、明細書、特許請求の範囲、図面および要約書を含め、その全体が参照により含まれる。
【産業上の利用可能性】
【００７２】
本発明は、オーディオ信号およびビデオ信号が記録された記録媒体を再生する再生装置において極めて有用である。
【図１】
2007122872.tif 000003
【図２】
2007122872.tif 000004
【図３】
2007122872.tif 000005
【図４】
2007122872.tif 000006
【図５】
2007122872.tif 000007
【図６】
2007122872.tif 000008
【図７】
2007122872.tif 000009
【手続補正書】
【提出日】平成20年9月29日(2008.9.29)
【手続補正１】
【補正対象書類名】明細書
【補正対象項目名】００３３
【補正方法】変更
【補正の内容】
【００３３】
そこで、図３を参照して説明すると本実施例では、第１実施例の再生装置を設置した場所としてリビングルームを選択した場合、当該再生装置のビデオ信号の出力手段をプログレッシブ方式の出力手段にする設定をし、アスペクト比を「１６：９」に設定する。そして、当該再生装置のオーディオ信号の出力手段を２チャンネルの出力手段にする設定をする。また、オーディオ信号の出力タイミングをプログレッシブ方式のビデオ信号の出力タイミングに合わせる設定をする。
【手続補正２】
【補正対象書類名】明細書
【補正対象項目名】００６３
【補正方法】変更
【補正の内容】
【００６３】
ユーザは、外部機器２０３に備えられた指定部により、外部機器２０３の設置場所として子供部屋を指定する。外部機器２０３は、子供部屋が指定されると設置情報として「０３」を設定する。
【手続補正３】
【補正対象書類名】要約書
【補正対象項目名】全文
【補正方法】変更
【補正の内容】
【要約】
記録媒体に記録されたオーディオ信号およびビデオ信号を再生するための最適な視聴環境に適する設定を容易にすることができる再生装置および再生システムを提供する。設置された場所を示す設置情報を取得する取得部（２７）と、ビデオ信号の出力設定を示すビデオ出力設定情報およびオーディオ信号の出力設定を示すオーディオ出力設定情報を記憶する記憶部（２１）と、取得された設置情報に対応するビデオ出力設定情報およびオーディオ出力設定情報を前記記憶部（２１）から読み出し、当該ビデオ出力設定情報に基づいてビデオ信号を出力する制御をし、当該オーディオ出力設定情報に基づいてオーディオ信号を出力する制御をする制御部（１９）を備える。
【手続補正４】
【補正対象書類名】図面
【補正対象項目名】図１
【補正方法】変更
【補正の内容】
【図１】
2007122872.tif 000010
【手続補正５】
【補正対象書類名】図面
【補正対象項目名】図２
【補正方法】変更
【補正の内容】
【図２】
2007122872.tif 000011
【手続補正６】
【補正対象書類名】図面
【補正対象項目名】図４
【補正方法】変更
【補正の内容】
【図４】
2007122872.tif 000012
【手続補正書】
【提出日】平成21年1月16日(2009.1.16)
【手続補正１】
【補正対象書類名】手続補正書
【補正対象項目名】手続補正３
【補正方法】削除
【補正の内容】
【国際調査報告】
2007122872.tif 000013
2007122872.tif 000014